(57)【要約】【課題】  穀粒載置面の上部に厚さが均一となる層状で穀粒群を存在させるようにして、良好な乾燥を行うことができる乾燥装置を提供する。【解決手段】  排出口１０５が、搬送用筒状体５２の先端側部分の底部に、その長手方向に沿うスリット状に形成され、搬送装置３が、搬送用筒状体５２を載置搬送体Ｓの搬送方向と交差する姿勢で、その先端側部分を載置搬送体Ｓの上方箇所に重複するように位置させる状態で、且つ、搬送用筒状体Ｓの先端側部分の底部と載置搬送体Ｓの穀粒載置面との間に、穀粒載置面の上部に層状に存在させる穀粒群の厚さに相当する隙間ｄを有する状態で設置されている。【選択図】        図６
2006284142.tif 000002
【特許請求の範囲】
【請求項１】
無端状の穀粒載置面を備えた載置搬送体にて乾燥対象の穀粒群を載置搬送しながら乾燥するように構成され、
横倒れ姿勢で設置された搬送用筒状体の内部に穀粒群を筒状体先端側に搬送する送り搬送体を収納した搬送装置が、前記搬送用筒状体の先端部に形成した排出口より前記載置搬送体の上部に穀粒群を排出するように構成された乾燥装置であって、
前記排出口が、前記搬送用筒状体の先端側部分の底部に、その長手方向に沿うスリット状に形成され、
前記搬送装置が、前記搬送用筒状体を前記載置搬送体の搬送方向と交差する姿勢で、その先端側部分を前記載置搬送体の上方箇所に重複するように位置させる状態で、且つ、前記搬送用筒状体の先端側部分の底部と前記載置搬送体の穀粒載置面との間に、穀粒載置面の上部に層状に存在させる穀粒群の厚さに相当する隙間を有する状態で設置されている乾燥装置。
【請求項２】
前記載置搬送体が、円板状又は略円板状に形成され、かつ、その中央部を中心に上下軸心回りで回転駆動されて、前記搬送装置から供給された穀粒群を載置搬送したのちに下方に落下排出するように構成されている請求項１記載の乾燥装置。
【請求項３】
前記載置搬送体の下方に、円板状又は略円板状に形成され、かつ、その中央部を中心に上下軸心回りで回転駆動されて、前記載置搬送体から排出された穀粒群を載置搬送したのちに下方に排出する下段側の載置搬送体が設けられている請求項２記載の乾燥装置。
【請求項４】
前記載置搬送体を回転駆動する駆動手段が、前記載置搬送体の搬送速度を変更自在に構成され、
前記搬送装置が、前記載置搬送体の搬送速度の変更に伴って、前記排出口における穀粒排出範囲を変更する形態となる搬送量で穀粒群を搬送するように構成されている請求項１〜３のいずれか１項に記載の乾燥装置。
【請求項５】
前記載置搬送体にて載置される穀粒群に対して外気を加熱手段にて昇温した乾燥用空気を通風する通風式乾燥手段が設けられ、
前記乾燥用空気の湿度を直接的に又は間接的に検出する湿度検出手段の検出情報に基づいて、湿度が高いほど低速となるように前記載置搬送体の搬送速度を変更すべく前記駆動手段を制御する運転制御手段が設けられている請求項４記載の乾燥装置。
【請求項６】
被覆材溶液供給口を通して米粒被覆用の被覆材溶液を前記搬送用筒状体の内部に位置する穀粒群に供給する被覆材溶液供給手段が設けられ、
前記搬送装置が、前記被覆材溶液が供給された穀粒群を攪拌しながら搬送して前記排出口から排出するように構成されている請求項１〜５のいずれか１項に記載の乾燥装置。
【発明の詳細な説明】
【技術分野】
【０００１】
本発明は、無端状の穀粒載置面を備えた載置搬送体にて乾燥対象の穀粒群を載置搬送しながら乾燥するように構成され、横倒れ姿勢で設置された搬送用筒状体の内部に穀粒群を筒状体先端側に搬送する送り搬送体を収納した搬送装置が、前記搬送用筒状体の先端部に形成した排出口より前記載置搬送体の上部に穀粒群を排出するように構成された乾燥装置に関する。
【背景技術】
【０００２】
かかる乾燥装置は、横倒れ姿勢で設置された搬送用筒状体の先端部に形成した排出口より無端状の穀粒載置面を備えた載置搬送体の上部に穀粒群を排出することにより、乾燥対象の穀粒群を載置搬送体にて載置搬送しながら乾燥することができるようにしたものである。
【０００３】
かかる乾燥装置において、従来では、搬送用筒状体の先端部に、筒状の下向きの排出口が形成されて、その排出口より穀粒群が載置搬送体における穀粒載置面の一箇所に集中して排出され、そして、集中して排出された穀粒群を均平化する均平具が、載置搬送体の穀粒載置面との間に隙間を有する状態で設置され、搬送用筒状体の先端部に形成した排出口より排出されて堆積状態となる穀粒群を均平化するように構成されていた（例えば、特許文献１参照。）。
【０００４】
【特許文献１】特開２００５−３３２５号
【発明の開示】
【発明が解決しようとする課題】
【０００５】
上記乾燥装置においては、搬送用筒状体の先端部に形成した排出口より載置搬送体の上部に排出された堆積状態の穀粒群を、均平具にて均平化して、載置搬送体における穀粒載置面の上部に穀粒群を層状に存在させるようにするものであるが、穀粒載置面の上部に層状で存在する穀粒群の厚さが、載置搬送体の搬送方向と交差する方向の各部において均一になり難いものであり、乾燥むらを生じる要因となるものであった。
つまり、載置搬送体における穀粒載置面の上部に堆積状態で存在する穀粒群に対する均平具による均平は、堆積状態で存在する穀粒群を載置搬送体の搬送方向と交差する方向に押し広げることにより行われるものとなるが、乾燥前の湿っている穀粒群が滑り移動し難い等に起因して、穀粒群を厚さが同じになるように押し広げ難いものであった。そして、場合によっては、穀粒群を載置搬送体の搬送方向と交差する方向に押し広げることが適正に行われずに、穀粒群が均平具にて受け止められた状態で滞留して詰まりを招くこともあり、この点からも、穀粒載置面の上部に厚さが均一となる層状で穀粒群を存在させ難いものであり、良好な乾燥を行い難いものであった。
【０００６】
本発明は、上記実状に鑑みて為されたものであって、その目的は、穀粒載置面の上部に厚さが均一となる層状で穀粒群を存在させるようにして、良好な乾燥を行うことができる乾燥装置を提供する点にある。
【課題を解決するための手段】
【０００７】
本発明の乾燥装置は、無端状の穀粒載置面を備えた載置搬送体にて乾燥対象の穀粒群を載置搬送しながら乾燥するように構成され、横倒れ姿勢で設置された搬送用筒状体の内部に穀粒群を筒状体先端側に搬送する送り搬送体を収納した搬送装置が、前記搬送用筒状体の先端部に形成した排出口より前記載置搬送体の上部に穀粒群を排出するように構成されたものであって、
その第１特徴構成は、前記排出口が、前記搬送用筒状体の先端側部分の底部に、その長手方向に沿うスリット状に形成され、前記搬送装置が、前記搬送用筒状体を前記載置搬送体の搬送方向と交差する姿勢で、その先端側部分を前記載置搬送体の上方箇所に重複するように位置させる状態で、且つ、前記搬送用筒状体の先端側部分の底部と前記載置搬送体の穀粒載置面との間に、穀粒載置面の上部に層状に存在させる穀粒群層の厚さに相当する隙間を有する状態で設置されている点にある。
【０００８】
上記第１特徴構成によれば、載置搬送体の搬送方向と交差する姿勢で且つその先端側部分を載置搬送体の上方箇所に重複するように位置させる状態で設置されている搬送用筒状体の内部を、送り搬送体にて先端側に向けて搬送される乾燥対象の穀粒群は、搬送用筒状体の先端側部分の底部に長手方向に沿うスリット状に形成された排出口より載置搬送体の穀粒載置面に排出されることになるが、搬送用筒状体の先端側部分の底部と載置搬送体の穀粒載置面との間は、穀粒載置面の上部に層状に存在させる穀粒群の厚さに相当する隙間を有する状態となっているため、搬送用筒状体の先端側に搬送される穀粒群は、長手方向に沿うスリット状の排出口の長手方向の各部において、上記の隙間に対応する量ずつ排出されることになり、その結果、載置搬送体の穀粒載置面の上部に、厚さが均一となる層状の穀粒群を存在させることができるものとなり、そして、載置搬送体の穀粒載置面の上部に存在する穀粒群が、厚さが均一となる層状となることによって、乾燥むらを抑制した良好な乾燥を行わせることが可能となる。
【０００９】
したがって、載置搬送体の穀粒載置面の上部に厚さが均一となる層状で穀粒群を存在させるようにして、良好な乾燥を行うことができる乾燥装置を提供するに至った。
【００１０】
本発明の第２特徴構成は、上記第１特徴構成に加えて、
前記載置搬送体が、円板状又は略円板状に形成され、かつ、その中央部を中心に上下軸心回りで回転駆動されて、前記搬送装置から供給された穀粒群を載置搬送したのちに下方に落下排出するように構成されている点を特徴とする。
【００１１】
上記第２特徴構成によれば、円板状又は略円板状に形成された載置搬送体が、その中央部を中心に上下軸心回りで回転駆動され、搬送用筒状体が、円板状又は略円板状に形成された載置搬送体の搬送方向と交差する姿勢で、つまり、円板状又は略円板状に形成された載置搬送体の外周部側から中央部に向かう姿勢で、その先端側部分を載置搬送体の上方箇所に重複するように位置させる状態で設置される。そして、搬送用筒状体の先端側に搬送される穀粒群は、搬送用筒状体の先端側部分の底部に、その長手方向に沿うスリット状に形成された排出口から排出されるものとなるが、搬送用筒状体の先端側部分の底部と載置搬送体の穀粒載置面との間は、穀粒載置面の上部に層状に存在させる穀粒群の厚さに相当する隙間を有する状態となっているため、搬送用筒状体の先端側に搬送される穀粒群は、長手方向に沿うスリット状の排出口の長手方向の各部において、上記の隙間に対応する量ずつ排出されることになる。
説明を加えると、円板状又は略円板状に形成された載置搬送体の穀粒載置面は、載置搬送体の搬送方向と交差する方向での各位置、つまり、径方向での各位置において、移動速度が異なるものとなるが、このように径方向での各位置において移動速度が異なることに対応して、搬送用筒状体の先端側に搬送される穀粒群は、排出口から落下排出される単位時間当たりの量を載置搬送体の中央部に近い側ほど少なくする状態で、長手方向に沿うスリット状の排出口の長手方向の各部において、上記の隙間に対応する量ずつ排出されることになり、その結果、載置搬送体の穀粒載置面の上部に、厚さが均一となる層状の穀粒群を存在させることができるものとなる。
【００１２】
したがって、円板状又は略円板状に形成された載置搬送体を用いて全体構成の簡素化やコンパクト化を図るようにしながらも、載置搬送体の穀粒載置面の上部に厚さが均一となる層状で穀粒群を存在させるようにして、良好な乾燥を行うことができる乾燥装置を提供するに至った。
【００１３】
本発明の第３特徴構成は、上記第２特徴構成に加えて、
前記載置搬送体の下方に、円板状又は略円板状に形成され、かつ、その中央部を中心に上下軸心回りで回転駆動されて、前記載置搬送体から排出された穀粒群を載置搬送したのちに下方に排出する下段側の載置搬送体が設けられている点を特徴とする。
【００１４】
上記第３特徴構成によれば、載置搬送体に搬送しながら乾燥することに加えて、その載置搬送体の下方に配置される下段側の載置搬送体にて搬送しながら乾燥することができるものであるから、載置搬送体や下段側の載置搬送体の搬送速度を上昇させて処理能力を向上させた状態で乾燥を行わせることが可能となる。
また、載置搬送体から落下排出される乾燥対象の穀粒群を下段側の載置搬送体にて受け取る形態となっていることから、水分を多く含む穀粒群同士が粘着力によってくっついて塊状になっているような場合であっても、載置搬送体から下段側の載置搬送体に落下するときに、その落下の衝撃によって塊状になっている穀粒群を崩して、塊状から崩された穀粒群を下段側の搬送体にてむら無く乾燥させることも可能となる。
【００１５】
従って、処理能力の向上や、穀粒群がくっついて塊状になっているような場合における乾燥性の向上を図ることが可能となる乾燥装置を提供できるに至った。
【００１６】
本発明の第４特徴構成は、上記第１〜第３のいずれかの特徴構成に加えて、
前記載置搬送体を回転駆動する駆動手段が、前記載置搬送体の搬送速度を変更自在に構成され、前記搬送装置が、前記載置搬送体の搬送速度の変更に伴って、前記排出口における穀粒排出範囲を変更する形態となる搬送量で穀粒群を搬送するように構成されている点を特徴とする。
【００１７】
上記第４特徴構成によれば、載置搬送体を回転駆動する駆動手段が、載置搬送体の搬送速度を変更自在に構成され、搬送装置が、載置搬送体の搬送速度の変更に伴って、排出口における穀粒排出範囲を変更する形態となる搬送量で穀粒群を搬送する。つまり、載置搬送体の搬送速度を変更すると、排出口における穀粒排出範囲が変更することになるが、穀粒載置面の上部に層状に存在させる穀粒群の厚さは変更することは無い。
そして、載置搬送体にて載置搬送される乾燥対象の穀粒群の乾燥状態が不十分な場合には、載置搬送体の搬送速度を低速にして適正な乾燥を行えるようにする等、適正な乾燥状態を得られるように載置搬送体の搬送速度を変更することにより、載置搬送体にて載置搬送される乾燥対象の穀粒群の乾燥状態を適正な状態にすることができるものとなる。
したがって、乾燥対象の穀粒群の乾燥状態を適正な状態にすることができる乾燥装置を提供するに至った。
【００１８】
本発明の第５特徴構成は、上記第４特徴構成に加えて、
前記載置搬送体にて載置される穀粒群に対して外気を加熱手段にて昇温した乾燥用空気を通風する通風式乾燥手段が設けられ、前記乾燥用空気の湿度を直接的に又は間接的に検出する湿度検出手段の検出情報に基づいて、湿度が高いほど低速となるように前記載置搬送体の搬送速度を変更すべく前記駆動手段を制御する運転制御手段が設けられている点を特徴とする。
【００１９】
上記第５特徴構成によれば、通風式乾燥手段が、載置搬送体にて載置される穀粒群に対して加熱手段にて昇温した乾燥用空気を通風し、運転制御手段が、湿度検出手段にて検出された乾燥用空気の湿度が高いほど載置搬送体の搬送速度が低速となるように駆動手段を制御するから、乾燥用空気の湿度が高くても、載置搬送体の搬送速度を低速にすることにより、乾燥対象の穀粒群を充分に乾燥することができる。
したがって、運転制御手段の自動運転制御により、乾燥用空気の湿度が高くても乾燥対象の穀粒群を充分に乾燥することができる乾燥装置を提供するに至った。
【００２０】
本発明の第６特徴構成は、上記第１〜第５のいずれかの特徴構成に加えて、
被覆材溶液供給口を通して米粒被覆用の被覆材溶液を前記搬送用筒状体の内部に位置する穀粒群に供給する被覆材溶液供給手段が設けられ、前記搬送装置が、前記被覆材溶液が供給された穀粒群を攪拌しながら搬送して前記排出口から排出するように構成されている点を特徴とする。
【００２１】
上記第６特徴構成によれば、被覆材溶液供給手段にて米粒被覆用の被覆材溶液を搬送用筒状体の内部に位置する穀粒群に供給し、搬送装置にて被覆材溶液が供給された穀粒群を載置搬送体に供給するから、載置搬送体にて載置搬送される被覆材溶液が付着した穀粒群をムラ無く乾燥させることができ、穀粒の表面に良好な被膜を形成することが可能となった。
従って、載置搬送体にて載置搬送される被覆材溶液が付着した穀粒群をムラ無く乾燥させることができ、穀粒の表面に良好な被膜を形成することが可能となる乾燥装置を提供できるに至った。
【発明を実施するための最良の形態】
【００２２】
以下、図面に基づいて、本発明に係る米穀粒用乾燥装置を無洗米製造装置に適用した場合について説明する。
図１に示すように、無洗米製造設備は、糊粉層の全て又は大部分を除去した米粒に被覆材溶液を添加付着させて乾燥させることにより、米粒表面を覆う被膜を形成して無洗米を製造するためのものであって、無洗米を製造する無洗米製造部Ａ、その無洗米製造部Ａにて製造された無洗米の検査、包装等を行う後処理部Ｂ、及び、設備各部の運転を予め設定された動作条件にて制御する表示操作パネル付きの制御部Ｃからなる。
【００２３】
以下、無洗米製造部Ａの構成について説明する。
この無洗米製造部Ａは、その主要な設備として、被覆材としての澱粉並びに米粒の品質を向上させるための品質向上剤を水に溶かした被覆材溶液を生成する被覆材溶液供給装置１、精米処理が終了した後の米粒（精米）の糊粉層の全て又は大部分を除去して被覆対象米粒を生成する研米機２、その研米機２にて得られた被覆対象米粒を攪拌して搬送しながら前記被覆材溶液供給装置１から供給される被覆材溶液を付着させて付着済み米粒を生成する米粒被覆装置３（搬送装置の一例）、その米粒被覆装置３から供給される付着済み米粒に付着された被覆材溶液を乾燥させて被覆対象米粒の表面に被膜を形成する本発明に係る乾燥装置４等を備えて構成される。そして、乾燥装置４にて澱粉溶液の乾燥処理が終了した米粒は揚穀装置７により後処理部Ｂに搬送する構成となっている。
【００２４】
次に、後処理部Ｂの構成について説明する。
この後処理部Ｂは、前記揚穀装置７にて搬送される米粒群の中の破砕粒や小径の異物を除去する異物除去装置８、その異物除去装置８にて異物除去処理された米粒を一時貯留する米粒タンク９、その米粒タンク９から落下供給される米粒から着色粒や屑米等の不良粒等を除去する不良物除去装置１０、その不良物除去装置１０にて不良物除去されてエアー搬送装置１１にてエアー搬送される米粒について金属の混入物の存否を検査する金属検出器１２、その金属検出器１２にて検査処理された米粒を所定量ずつ計量して排出する計量タンク１３、その計量タンク１３から所定量ずつ排出される米粒を包装袋にて包装する包装装置１４等を備えて構成されている。
【００２５】
次に、無洗米製造部Ａの各部について説明する。
前記被覆材溶液供給装置１は、澱粉と水とを設定比率で混合してその澱粉水溶液を送り
出す澱粉水溶液生成供給部１５と、品質向上剤を貯留するとともにその貯留している品質向上剤を設定量だけ送り出す品質向上剤供給部１６と、前記澱粉水溶液生成供給部１５にて混合した澱粉水溶液と前記品質向上剤供給部１６から供給される品質向上剤とを攪拌しながら高温蒸気（１１０℃程度）を噴霧して被覆材溶液を生成する高温溶液生成部１７とを備える。
【００２６】
説明を加えると、澱粉水溶液生成供給部１５は、固形粉状の澱粉を貯留する澱粉貯留用ホッパ１８、その澱粉貯留用ホッパ１８から振動フィーダ１９にて単位時間あたりに設定量ずつ送り出される澱粉と、給水路２０を通して供給される水道水とを貯留する澱粉水溶液タンク２１、その澱粉水溶液タンク２１の重量を計測する吊り下げ式のロードセル２２と、前記澱粉水溶液タンク２１内に設けられた攪拌羽根２３ａを電動モータ２３ｂにより回転させて澱粉水溶液タンク２１内の澱粉と水とを攪拌混合する攪拌装置２３を備えて構成されている。
【００２７】
又、前記給水路２０には通流を断続する開閉弁２４が備えられ、ロードセル２２によって重量計測しながら水を供給して設定重量に達すると供給を停止させ、同様にしてロードセル２２によって重量計測しながら澱粉を供給して、水と澱粉との比率が設定比率に対応する重量になると供給を停止させる構成としている。前記澱粉水溶液タンク２１にて攪拌混合された澱粉と水との澱粉水溶液は、澱粉水溶液供給路２５を通して高温溶液生成部１７に供給される構成となっており、その澱粉水溶液供給路２５には澱粉水溶液を供給する状態と供給を停止させる状態とに切り換え自在な断続弁２６が設けられている。
【００２８】
前記品質向上剤供給部１６は、固形粉状の品質向上剤を貯留する品質向上剤貯留用ホッパ２７、その品質向上剤貯留用ホッパ２７から単位時間あたりに設定量ずつ品質向上剤を送り出して品質向上剤供給路２８を通して高温溶液生成部１７に供給するための振動フィーダ２９等を備えて構成されている。
【００２９】
前記高温溶液生成部１７は、澱粉水溶液生成供給部１５から供給される澱粉水溶液及び品質向上剤供給部１６から供給される品質向上剤を貯留する被覆溶液貯留タンク３０、その被覆溶液貯留タンク３０に蒸気供給路３１を通して加熱用の蒸気を供給するボイラ３２、前記ボイラ３２に供給する水道水を軟水に調製する軟水器３３、被覆溶液貯留タンク３０内の高温の澱粉溶液を被覆材溶液供給路３４を通して前記米粒被覆装置３に供給する送出用ポンプ３５等を備えて構成されている。そして、蒸気供給路３１から高温の蒸気を被
覆溶液貯留タンク３０内に噴出する噴出ノズル３６を備えて、ボイラ３２によって生成された高温の蒸気をその噴出ノズル３６から被覆溶液貯留タンク３０内に噴出させる構成となっている。
【００３０】
前記被覆溶液貯留タンク３０内においては、前記噴出ノズル３６から高温の蒸気が噴出されることで、澱粉と水との澱粉水溶液及び品質向上剤が蒸気の高温の熱エネルギーによって加熱されて澱粉及び品質向上剤が溶解して糊化されて高温の被覆材溶液が生成されることになる。又、このとき高温の蒸気による加熱だけでなく、高温の溶液が保有する熱によっても加熱されることになる。
【００３１】
そして、この被覆溶液貯留タンク３０には、その底部付近に位置して底部に沈殿している澱粉あるいは沈殿しようとする澱粉を攪拌させて、澱粉と水（溶液）とがよく混ざり合って澱粉が充分に分散した状態にしてその状態を維持させる下部側攪拌羽根３７が設けられている。又、被覆溶液貯留タンク３０に貯留される溶液の表面付近に浮遊した状態で粉状のままで溜まり易い品質向上剤を攪拌させて溶液中に分散した状態を維持させる上部側攪拌羽根３８が設けられている。これらの下部側攪拌羽根３７及び上部側攪拌羽根３８は、共通の電動モータ３９によって回転駆動される構成となっている。但し、下部側攪拌羽根３７は回転によって上方に向けて澱粉を移動させて分散させるように羽根の形状を設定して構成され、上部側攪拌羽根３８は回転によって下方に向けて品質向上剤を移動させて分散させるように羽根の形状を設定して構成されている。
【００３２】
前記澱粉水溶液生成供給部１５の澱粉水溶液タンク２１は被覆溶液貯留タンク３０の容量に比べて小さい容量のタンクにて構成され、澱粉水溶液生成供給部１５から被覆溶液貯留タンク３０に繰り返し澱粉水溶液を供給するように構成されている。具体的に説明すると、澱粉水溶液生成供給部１５にて澱粉と水とを設定比率で混合した設定量の澱粉水溶液を被覆溶液貯留タンク３０に供給することを複数回繰り返して、被覆溶液貯留タンク３０内に所定量の澱粉水溶液が供給される。そして、所定量の澱粉水溶液が供給された後に蒸気が供給されて高温の被覆材溶液が生成される。溶液の温度が充分高くなったときに、前記品質向上剤供給部１６から固形粉状の品質向上剤を設定量まとめて被覆溶液貯留タンク３０に供給するのである。尚、下部側攪拌羽根３７及び上部側攪拌羽根３８は、澱粉水溶液生成供給部１５から供給を開始したときから回転させるようにしている。ちなみに、被覆材の比率としては、例えば、水１リットルに対して澱粉の比率は４０ｇ、品質向上剤の比率は３００ｇに設定される。
【００３３】
前記被覆材溶液供給路３４の途中から、被覆材溶液を被覆溶液貯留タンク３０に戻す被覆材溶液循環路４３が分岐され、その被覆材溶液循環路４３の途中から、洗浄水を被覆溶液貯留タンク３０に戻す洗浄水循環路４４及び洗浄水を排水する洗浄水排水路４５が分岐されている。
被覆材溶液供給路３４における被覆材溶液循環路４３の分岐箇所よりも上流側の箇所には、通流断続用のバルブＶ１と被覆材溶液の流量を計測する流量計４２が設けられ、被覆材溶液供給路３４における被覆材溶液循環路４３の分岐箇所よりも下流側の箇所には、被覆材溶液供給断続用のバルブＶ２が設けられている。
被覆材溶液循環路４３における洗浄水循環路４４及び洗浄水排水路４５の分岐箇所よりも下流側の箇所に、被覆材溶液循環用のバルブＶ３が設けられ、洗浄水循環路４４、洗浄水排水路４５には、夫々、洗浄水循環用のバルブＶ４、洗浄水排水用のバルブＶ５が設けられている。
【００３４】
尚、図１中、４８は作業終了時に配管内を清掃するための洗浄水を循環供給するための洗浄用ポンプ、Ｖ６〜Ｖ９は洗浄水の通流路を開閉するための洗浄水通流路用のバルブである。
又、前記被覆溶液貯留タンク３０の底部には、内部の被覆材溶液や洗浄水を流下排出する流下排出路４６が接続され、その流下排出路４６には、流下排出用のバルブＶ１０が設けられている。
【００３５】
上記のバルブＶ１〜Ｖ９の夫々が予め設定された条件にて前記制御部Ｃにて開閉操作されて、被覆材溶液を被覆材溶液供給路３４を通じて前記米粒被覆装置３に供給する被覆材溶液供給状態、被覆材溶液を被覆溶液貯留タンク３０及び被覆材溶液循環路４３を通して循環させる予備運転状態（図１の一点鎖線矢印参照）、洗浄水を被覆溶液貯留タンク３０、被覆材溶液循環路４３及び洗浄水循環路４４を通して循環させる洗浄運転状態（図１の二点鎖線矢印参照）、洗浄水を洗浄水排水路４５を通じて排水する洗浄水排水状態のいずれかに択一的に切り換えられるように構成されている。
前記被覆材溶液供給状態においては、前記流量計４２によって米粒被覆装置３への供給量を計測しながら、前記送出用ポンプ３５の作動状態を制御する構成となっている。
【００３６】
つまり、被覆材溶液を生成するときには前記予備運転状態に切り換えて、図１の一点鎖線矢印にて示すように、設定時間が経過する間だけ被覆材溶液循環路４３を通して高温の被覆材溶液を循環させる構成となっている。又、被覆材溶液の生成並びに供給作業が終了した後には、前記洗浄運転状態に切り換えて、図１の二点鎖線矢印で示すように、洗浄用ポンプ４８により、被覆材溶液循環路４３及び洗浄水循環路４４を通して洗浄水を循環させて被覆溶液貯留タンク３０や配管の内部を清浄する構成となっている。尚、前記洗浄水循環路４４の被覆溶液貯留タンク３０への戻り部分は噴出ノズルとして構成されており、被覆溶液貯留タンク３０の内面を清掃することができるようになっている。
そして、上述のように構成されたバルブＶ１〜Ｖ１０は、前記被覆材溶液供給路３４、前記被覆材溶液循環路４３、前記洗浄水循環路４４及び前記洗浄水排水路４５等、前記被覆材溶液供給装置１の各流体流路を形成する管部材に設けられて、各流体流路を開閉するようになっている。
【００３７】
前記研米機２は、図２、図３に示すように、供給装置により供給される精米処理済みの米粒を研米機ホッパ２ａにて受け入れたのち、横送りスクリュー２ｂにより横送りして供給する構成となっており、米粒を上方に移送させながら研米する上方移送式のものを用いている。つまり、周囲にブラシを備えて縦軸芯周りで回転する回転ロールとその外周部に位置する多孔状の筒部材との間を米粒群を上方に移送させながら、ブラシによって米粒の表面に残留する糠すなわち糊粉層の全て又は大部分を除去する構成となっている。そして、研米機２にて研米された米粒は、研米機２の上方に設けられた排出口２ｃから斜め姿勢の傾斜樋５１を通って乾燥装置４の側方に位置する米粒被覆装置３の米粒供給ホッパ１００ａに供給される。尚、乾燥装置４の上部には２本の梁５０が平行に架設され、研米機２および研米機２の回転ロールを回転駆動するモータ７４がそれら梁５０に載置されている。又、この研米機２は、上記したようなブラシによる掻き取り作用によって糊粉層を除去するものに代えて、前記回転ロールの周囲に砥石等の研削用部材を備えて、この研削用部材による削り取り作用等によって糊粉層を除去するように構成してもよい。
【００３８】
前記米粒被覆装置３は、図４〜図８に示すように、横倒れ姿勢の筒状の攪拌室形成部材５２（搬送用筒状体の一例）と、攪拌室形成部材５２の長手方向に沿う軸心周りに回転駆動される送り搬送体を備えた攪拌搬送手段５３と、米粒供給ホッパ１００ａによる米粒供給箇所よりも米粒搬送方向下手側の箇所に設けられた被覆材溶液供給手段５４と、筒状の攪拌室形成部材５２を上下軸芯Ｙ方向に回動自在に支持するとともに、攪拌室形成部材５２の横倒れ姿勢の傾き及びその高さを調節する姿勢変更調節手段１０１とを備えて構成されている。
【００３９】
前記米粒被覆装置３の各部について説明すると、前記攪拌室形成部材５２は円筒状に形成され、その攪拌室形成部材５２には、その攪拌搬送手段５３による米粒搬送方向の上手側から下手側に向けて、米粒供給ホッパ１００ａより米粒を供給する米粒供給箇所としての米粒供給口１０３、被覆材溶液供給手段５４より被覆材溶液を供給する被覆材溶液供給箇所としての被覆材溶液供給口１０４、米粒を排出する米粒排出口１０５（排出口の一例）が形成されている。この米粒排出口１０５は、攪拌室形成部材５２の底部にその長手方向に沿うスリット状に形成されており、３個の矩形状の米粒排出口１０５ａと、３個の矩形状の米粒排出口１０５ａよりも米粒搬送方向の下手側に位置する矩形状の米粒排出口１０５ｂとを備えている。尚、米粒排出口１０５ｂは、他の米粒排出口１０５ａより幅広に形成されている。
【００４０】
前記攪拌搬送手段５３は、電動モータ１０９と、電動モータ１０９の回転軸１０９ａに連結され、電動モータ１０９の作動により攪拌室形成部材５２の軸芯と同軸芯回りに回転駆動される伝動軸１１０と、伝動軸１１０と一体回転されるようにキー部材１１１にて連結される筒状支持体１１２と、その筒状支持体１１２に一体回転自在に外嵌装着されたＵ字状体１０７及び螺旋状体１０８とを備えて構成されている。
【００４１】
前記電動モータ１０９を連結支持するとともに、攪拌室形成部材５２を着脱自在に支持する連結支持体１１３が設けられている。連結支持体１１３は、電動モータ１０９をボルトにてねじ止めする板状部１１３ａと、攪拌室形成部材５２の内部に嵌め込むことができるように形成された円筒状の筒部１１３ｂとからなり、筒部１１３ｂの断面が板状部１１３ａに設けられた開口の縁部に一致させた状態で接続されるように構成されている。
【００４２】
前記伝動軸１１０は、円柱１１０ａの端部にそれよりも径の小さい円柱１１０ｂを同じ中心軸上に形成させて設けられている。円柱１１０ａの外周部がベアリング１１４を介して連結支持体１１３に回転自在に支持されている。また、それよりも径の小さい円柱１１０ｂが電動モータ１０９の回転軸１０９ａに連結されている。これにより、伝動軸１１０は、攪拌室形成部材５２の軸芯と同軸芯回りに回転自在に構成されている。ベアリング１１４の米粒搬送方向の下手側には、電動モータ１０９からのオイル漏れを防ぐオイルシール１１５が隣り合う状態で設けられている。円柱１１０ａの外周部に設けられたリング部材１１６が、ベアリング１１４及びオイルシール１１５を挟み込む状態で夫々２つ設けられている。これにより、ベアリング１１４及びオイルシール１１５の米粒搬送方向の上手側および下手側への移動を阻止するように構成されている。
【００４３】
前記Ｕ字状体１０７は、丸棒材の中心部分を折り曲げて構成されており、両端に位置する支持部１０７ａと、半円状の屈曲部１０７ｂと、一対の棒状の攪拌作用部１０７ｃとを備えて構成されている。前記螺旋状体１０８は、丸棒材をコイル状に屈曲形成して構成されており、螺旋状体１０８の米粒供給口１０３が形成されている側の端部には、コイル状の搬送作用部１０８ｂの一端部から一連に連なる支持部１０８ａが形成され、螺旋状体１０８の米粒搬送方向の下手側の米粒排出口１０５の終端側箇所に対応する箇所には、コイル状の搬送作用部１０８ｂの他端部から一連に連なる掻き出し作用部１０８ｃが、攪拌室形成部材５２の内周面に近接する状態で且つ攪拌室形成部材５２の長手方向に沿って形成されている。したがって、前記螺旋状体１０８及び前記Ｕ字状体１０７が、攪拌室形成部材５２の内部に収納されて、穀粒群を攪拌室形成部材５２の先端側に搬送する、前述した送り搬送体として機能するものである。説明を加えると、前記米粒供給口１０３から供給され、かつ、被覆材供給口１０４より被覆材が供給された米粒群を螺旋状体１０８の回転により攪拌しながら攪拌室形成部材５２の先端側に搬送することになり、且つ、螺旋状体１０８が中空状であるため、米粒群を、攪拌室形成部材５２の底部のみに位置させる状態で搬送することになる。そして、螺旋状体１０８の内部に位置するＵ字状体１０７が、螺旋状体１０８と一体状態で回転して、攪拌室形成部材５２の底部に位置する米粒群を掻き上げるように攪拌することになり、米粒群の攪拌を十分に行えるようになっている。
【００４４】
前記筒状支持体１１２は、攪拌室形成部材５２の内部に嵌り込む状態で設けられている。前記筒状支持体１１２には、攪拌室形成部材５２の長手方向に沿って一対の径方向内方側の貫通孔１１２ａおよび径方向外方側の貫通孔１１２ｂが設けられ、Ｕ字状体の支持部１０７ａが、一対の径方向内方側の貫通孔１１２ａに嵌合し、らせん状体の支持部１０８ａが径方向外方側の貫通孔１１２ｂに嵌合するようになっている。これにより、Ｕ字状体１０７及び螺旋状体１０８は、筒状支持体１１２に外嵌装着される状態で、且つ、Ｕ字状体１０７が螺旋状体１０８の径方向内方側に近接させた状態で攪拌室形成部材５２の内部において一体回転自在に設けられることになる。
【００４５】
前記筒状支持体１１２には、連結支持体の筒部１１３ｂの内部に嵌り込むとともにオイルシール１１５の米粒搬送方向の下手側に設けられたリング部材１１６に接当する接当部１１２ｃが設けられている。そして、その接当部１１２ｃは、一対の径方向内方側の貫通孔１１２ａに嵌り込んだＵ字状体１０７の支持部１０７ａの先端に接当して、Ｕ字状体１０７の米粒搬送方向の上手側への移動を阻止するように構成されている。また、筒状支持体１１２の米粒搬送方向の下手側の外周部には溝部１１２ｄが設けられ、溝部１１２ｄが螺旋状体１０８の搬送作用部１０８ｂに接当して、米粒搬送方向の上手側への移動を阻止するように構成されている。
【００４６】
このとき、半円状の屈曲部１０７ｂ及び掻き出し作用部１０８ｃの先端が攪拌室形成部材の蓋部５２ａに近接する状態で設けられているので、筒状支持体１１２に外嵌装着されたＵ字状体１０７及び螺旋状体１０８が一体回転されている途中に、Ｕ字状体１０７に、攪拌室形成部材５２の長手方向への力が掛かったとしても、筒状支持体の接当部１１２ｃあるいは攪拌室形成部材の蓋部５２ａに接当して米粒搬送方向の上手側および下手側への移動を阻止することにより、筒状支持体１１２からＵ字状体１０７が外れることを防止できる。また、螺旋状体１０８についても同様に、筒状支持体の溝部１１２ｄあるいは攪拌室形成部材の蓋部５２ａに接当して米粒搬送方向の上手側および下手側への移動を阻止することにより、筒状支持体１１２から螺旋状体１０８が外れることを防止できる。
【００４７】
前記米粒供給口１０３は、前記攪拌室形成部材５２における米粒搬送方向上手側端部の上部に形成されている。そして、米粒供給部１００は、米粒を米粒供給口１０３を通じて攪拌室形成部材５２内に流下供給するように設けられた米粒供給ホッパ１００ａと、その米粒供給ホッパ１００ａの流下流路１００ｂを開閉する米粒供給用シャッタ１１７を備えて構成されている。つまり、米粒供給ホッパ１００ａにて、前記研米機２から流下供給される米粒を受け入れて米粒供給口１０３を通じて攪拌室形成部材５２内に流下供給するように構成されている。
前記米粒供給用シャッタ１１７は、往復移動操作により米粒供給ホッパ１００ａの流下流路１００ｂを開閉するように設けられたシャッタ板１１７ａと、そのシャッタ板１１７ａを往復移動操作するシリンダ１１７ｂとを備えて構成されている。
【００４８】
前記被覆材溶液供給口１０４は、前記攪拌室形成部材５２における前記米粒供給口１０３よりも米粒搬送方向下手側の箇所の上部に形成されている。そして、被覆材溶液供給手段５４は、供給される空気を噴出する噴霧用空気噴出孔１１８ａ及び供給される被覆材溶液を噴出する被覆材溶液噴出孔１１８ｂを備えて被覆材溶液供給口１０４に接続された被覆材溶液噴霧ノズル１１８と、前記被覆材溶液供給路３４を通じて被覆材溶液噴霧ノズル１１８の被覆材溶液噴出孔１１８ｂに被覆材溶液を圧送する前記送出用ポンプ３５（図１参照）と、噴霧用空気供給路１１９を通じて被覆材溶液噴霧ノズル８１の噴霧用空気噴出孔１１８ａに噴霧用空気を圧送するエアコンプレッサ１２０等を備えて構成されている。
【００４９】
被覆材溶液噴出孔１１８ｂ及び噴霧用空気噴出孔１１８ａは、被覆材溶液噴出孔１１８ｂから噴出される被覆材溶液と噴霧用空気噴出孔１１８ａから噴出される噴霧用空気とを衝突させるように、夫々の噴出方向が交差する状態で被覆材溶液噴霧ノズル１１８に形成されている。
【００５０】
更に、前記噴霧用空気供給路１１９には、噴霧用空気噴出孔１１８ａに供給される噴霧用空気の圧力を調整する噴霧用空気用の圧力調整弁１２１が設けられている。この噴霧用空気用の圧力調整弁１２１によって被覆材溶液噴霧ノズル１１８の噴霧用空気噴出孔１１８ａに供給する噴霧用空気の供給圧を予め実験等によって適正な値として設定された適正圧力に調整する構成となっている。
【００５１】
つまり、被覆材溶液供給手段５４は、前記被覆材溶液噴霧ノズル１１８を備えて、その被覆材溶液噴霧ノズル１１８の噴霧用空気噴出孔１１８ａから噴出される空気と被覆材溶液噴霧ノズル１１８の被覆材溶液噴出孔１１８ｂから噴出される被覆材溶液とを混合させ且つ被覆材溶液を霧化させて、その霧化させた被覆材溶液を前記攪拌室形成部材５２内を搬送されている米粒に対して供給するように構成されている。
【００５２】
前記被覆材溶液噴霧ノズル１１８は、被覆材溶液噴出孔１１８ｂを筒内部空間とする筒状に形成され、その筒状の被覆材溶液噴霧ノズル１１８における被覆材溶液噴出孔１１８ｂに対する溶液供給側の端面１１８ｃは、バルブＶのケーシング本体１２２の端面１２２ａよりも内方側に突出するように形成されて、被覆材溶液噴霧ノズル１１８が、バルブＶを構成する弁座形成体１２３に兼用するように構成されている。
【００５３】
つまり、被覆材溶液噴霧ノズル１１８における被覆材溶液噴出孔１１８ｂに対する溶液供給側の端部に、鍔状部１１８ｅが設けられている。
そして、ケーシング本体１２２の端面１２２ａと被覆材溶液噴霧ノズル１１８の端面１１８ｃとの間に環状のシール部材１２４を介在させた状態で、ケーシング本体１２２の鍔状部１２２ｂと被覆材溶液噴霧ノズル１１８の鍔状部１１８ｅとをクランプ１２５にて挟持することにより、ケーシング本体１２２及び被覆材溶液噴霧ノズル１１８が組み付けられて、前記被覆材溶液供給断続用のバルブＶ２が構成されるようになっている。
前記筒状接続部１２６には、前記被覆材溶液供給路３４を形成する管部材１２７がクランプ１２８を用いて接続される。
【００５４】
前記姿勢変更調節手段１０１は、攪拌室形成部材５２の横倒れ姿勢の傾きを調整する傾き調整部１２９および攪拌室形成部材５２の高さを調節する高さ調整部１３０とを備えて構成されている。
床面にその内部が中空に形成された管状の中空部材１３１が立設されており、その中空に形成された部分の上部にねじ孔１３１ａが形成されている。米粒被覆装置３を上下軸芯Ｙ方向に回動自在に支持する棒状の支持体１３２が設けられており、その下端には、中空部材１３１のねじ孔１３１ａに螺合されるねじ部１３２ａが形成され、その上端には、棒状の支持体１３２を例えばスパナなどで上下軸芯Ｙ方向に回動させ易いように平行な二面を有する回動部１３２ｂが形成され、その中間部よりも下方には、後述する下側の調整部材１３４に係合する係合部材１３２ｃが設けられている。また、支持体１３２の回動を規制するナット１３３が中空部材１３１の上部に設けられている。
【００５５】
一辺が長く形成された矩形の板を、長方形状の平板部１３４ａと、その平板部１３４ａの一端からその平板部１３４ａに垂直な方向に延びる屈曲部１３４ｂと、その平板部１３４ａの他端から屈曲部１３４ｂとは反対の方向に伸びるスライド部１３４ｃと、そのスライド部１３４ｃの端部から平板部１３４ａと平行に延びる調整部１３４ｄとを備えるように長尺方向に沿って折り曲げ成形して、下側の調整部材１３４を形成し、さらに、長方形状の平板部１３４ａの長辺側の側壁部のうちの一方の側壁部に、その平板部１３４ａに垂直な方向に延びる略三角形状の板状体１３６が接合されている。屈曲部１３４ｂには、支持体１３の径よりもやや大に形成された孔が形成され、平板部１３４ａの両端部、スライド部１３４ｃ、調整部１３４ｄ、略三角形状の板状体１３６には、夫々ねじ孔が形成されている。
【００５６】
一辺が長く形成された矩形の板を折り曲げて、長方形状の接触部１３５ａおよびその接触部１３５ａの一端からその接触部１３５ａに垂直な方向に延びる調整部１３５ｂとを備えるように長尺方向に沿って折り曲げ成形して、上側の調整部材１３５を形成し、長方形状の接触部１３５ａには、支持体１３の径とほぼ同じに形成された孔およびボルトを通す長孔が形成され、調整部１３４ｂには、ねじ孔が形成されている。尚、長孔は、その長手方向を接触部１３５ａの長手方向と一致させて設けられている。
【００５７】
前記電動モータ１０９と、連結支持体１１３と、平板部１３４ａとがボルト１３７にてねじ止めされることで連結固定されている。スライド部１３４ｃの面を接触部１３５ａの面に接触させた状態でボルト１３８にてねじ止めされている。このとき、ボルト１３８は接触部１３５ａの長孔を貫通した状態でスライド部１３４ｃにねじ止めされているので、ボルト１３８を緩めてスライド部１３４ｃが長孔の長手方向すなわち接触部１３５ａの長手方向にスライド移動したり、ボルト１３８を締めて下側の調整部材１３４のスライド部１３４ｃと上側の調整部材１３５の接触部１３５ａとをその位置で固定したりすることができる。
【００５８】
前記下側の調整部材１３４の調整部１３４ｄと前記上側の調整部材１３５の調整部１３５ｂとがそれら調整部１３４ｄ、１３５ｂの面間隔を一定に維持する状態でボルト１３９および調整部１３４ｂの両面に設けられたナット１４０にてねじ止めされている。これにより、下側の調整部材１３４と上側の調整部材１３５とをその位置で固定することができる。つまり、スライド部１３４ｃのスライド方向に沿って設けられたボルト１３９およびナット１４０にてそれら調整部１３４ｄ、１３５ｂの面間隔を一定に維持することで、長孔の方向に沿ってスライド部１３４ｃがスライド移動することを防止できる。
【００５９】
前記支持体１３が、上側の調整部材１３５の接触部１３５ａに支持体１３の径とほぼ同じに形成された孔、および、下側の調整部材１３４の屈曲部１３４ｂに支持体１３の径よりやや大に形成された孔に貫通させて設けられている。このとき、下側の調整部材１３４の屈曲部１３４ｂの下面部が支持体１３の係合部材１３２ｃの上面部に係合されることにより、下側の調整部材１３４に連結された米粒被覆装置３を上下軸芯Ｙ方向に回動自在に支持することとなる。
【００６０】
前記ナット１３３を回動させて、支持体１３２の回動の規制を解除させ、回動部１３２ｂを回動させると、支持体１３２が上下動し、その支持体１３２の係合部材１３２ｃに係合された下側の調整部材１３４も上下動し、それに伴って下側の調整部材１３４に連結された米粒被覆装置３も上下動することになる（図８の一点鎖線参照）。したがって、支持体１３２および中空部材１３１が攪拌室形成部材５２の高さを調節する高さ調整部１３０を構成する。
【００６１】
前記ボルト１３８を緩めてスライド部１３４ｃが長孔の長手方向すなわち接触部１３５ａの長手方向にスライド移動することにより、攪拌室形成部材５２の横倒れ姿勢の傾きを調整させることができる。説明を加えると、例えば、スライド部１３４ｃが接触部１３５ａの長手方向にスライド移動すると、スライド部１３４ｃに接続される平板部１３４ａの他端もそれに伴って接触部１３５ａの長手方向にスライド移動し、長方形状の平板部１３４ａが垂直姿勢から平板部１３４ａの他端が接触部１３５ａの長手方向に傾いた斜め姿勢となる。これにより、ボルト１３７にて平板部１３４ａに連結固定された電動モータ１０９および連結支持体１１３の板状部１１３ａも斜め姿勢となる（図８の二点鎖線参照）。したがって、上側の調整部材１３５、下側の調整部材１３４、ボルト１３８、１３９およびナット１４０が攪拌室形成部材５２の横倒れ姿勢の傾きを調整する傾き調整部１２９を構成する。
尚、下側の調整部材１３４の屈曲部１３４ｂに支持体１３の径よりやや大に孔が形成されることにより、平板部１３４ａが接触部１３５ａの長手方向に傾いた斜め姿勢となり、その平板部１３４ａの一端からその平板部１３４ａに垂直な方向に延びる屈曲部１３４ｂが水平姿勢から傾いた姿勢になったとしても、支持体１３が屈曲部１３４ｂに形成された孔の周囲の部分に喰い込むことが無いようになっている。
【００６２】
そして、ボルト１３８を締めてスライド部１３４ｃと接触部１３５ａとをその位置で固定し、ボルト１３９および調整部１３４ｂの両面に設けられたナット１４０にて調整部１３４ｄと調整部１３５ｂとをその位置で固定することにより、調整された攪拌室形成部材５２の横倒れ姿勢の傾きを維持することができる。
【００６３】
前記米粒被覆装置３が、上下軸芯Ｙ方向に旋回させることにより攪拌室形成部材５２の一端側部分を乾燥装置４のカバー５５の側部５５ａを通して乾燥装置４の内部に入り込ませる作業位置（図３の一点鎖線参照）と攪拌室形成部材５２の全体を乾燥装置４の横側外方に突出させるメンテナンス位置（図３の二点鎖線参照）とに切り換え自在に構成されている。乾燥装置４のカバー５５の側部５５ａには、開口１４３を覆う閉状態と開口１４３を開放させる開状態とに切り換え自在な扉部材１４２が設けられ、メンテナンス作業を行なうときには、扉部材１４２を開状態に切り換えて開口１４３を開放させたのちに、攪拌室形成部材５２をメンテナンス位置まで旋回させる。そして、略三角状の板状体１３６に取り付けられたねじ１４１を回して連結支持体１１３および攪拌室形成部材５２の外方側に退出させることで、攪拌室形成部材５２を取り外して清掃等のメンテナンス作業が行なえるようになっている。
【００６４】
要するに、米粒供給部１００の米粒供給口１０３から筒状の攪拌室形成部材５２の内部に供給された米粒群は、螺旋状体１０８のコイル状の搬送作用部１０８ｂおよびその内部に位置するＵ字状体１０７の一対の棒状の攪拌作用部１０７ｃが一体回転することにより、攪拌室形成部材５２の底部に位置する米粒群を掻き上げるように攪拌しながら攪拌室形成部材５２の一端側部分に向けて搬送される、このとき、米粒供給箇所よりも米粒搬送方向下手側の箇所に設けられた被覆材溶液供給手段５４の被覆材溶液噴霧ノズル１１８にて、被覆材溶液供給路３４から供給された被覆材溶液を霧化された状態で攪拌室形成部材５２内を搬送されている米粒に供給することにより、米粒と被覆材溶液とを充分に攪拌しながら攪拌室形成部材５２の長手方向に搬送されることになる。
【００６５】
そして、攪拌室形成部材５２の一端側部分に向けて搬送される乾燥対象の米粒群は、攪拌室形成部材５２の一端側部分の底部に長手方向に沿うスリット状に形成された米粒排出口１０５に達すると、攪拌室形成部材５２の一端側部分の底部と上段の載置搬送部Ｓ１の穀粒載置面との間は、穀粒載置面の上部に層状に存在させる米粒群の厚さに相当する隙間ｄを有する状態となっているため、攪拌室形成部材５２の一端側部分に搬送される米粒群は、長手方向に沿うスリット状の米粒排出口１０５の長手方向の各部において、上記の隙間ｄに対応する量ずつ排出されることになるので、上段の載置搬送部Ｓ１の穀粒載置面の上部に、厚さが隙間ｄと略同じに構成され、その厚さが均一となる層状の米粒群を存在させることができる。このとき、攪拌室形成部材５２の一端側部分に搬送される米粒群の搬送量は、米粒排出口１０５の長手方向の各部においてその隙間ｄに対応する量ずつ排出されるために、図４の二点鎖線に示すように、米粒排出口１０５の米粒搬送方向上手側の端部から米粒搬送方向下手側に向かうほど減少することになり、攪拌室形成部材５２の一端側に搬送される米粒群は、米粒排出口１０５の米粒搬送方向上手側の端部からその搬送量が無くなる箇所にまで搬送されることになる。
【００６６】
次に前記乾燥装置４について説明する。
この乾燥装置４は、図９に示すように、略円筒状のカバー５５が形成する内部空間内に２個の載置搬送部Ｓ（載置搬送体の一例）が上下方向に並べて収納され、それらの２個の載置搬送部Ｓは、上下方向に延びる駆動軸５６により上下軸芯Ｙ周りで、所定の回転方向（図に符号Ｑにて示す回転方向）に一体的に駆動回転するようになっている。そして、２個の載置搬送部Ｓのうち上段の載置搬送部Ｓ１が、攪拌室形成部材５２の一端側部分に設けられた米粒排出口１０５にて排出される被覆材溶液が付着した米粒群を供給され、上段の載置搬送部Ｓ１が、米粒群を載置搬送したのちに下方に落下排出し、２個の載置搬送部Ｓのうち下段の載置搬送部Ｓ２が上段に位置する載置搬送部Ｓ１から落下排出された米粒群を受け取る構成となっている。前記駆動軸５６は、減速機構付き電動モータ５７によって回転駆動される構成となっている。
【００６７】
前記攪拌室形成部材５２の一端側部分に設けられた米粒排出口１０５より排出する被覆材溶液が付着した米粒群を上段の載置搬送部Ｓ１に供給する構成について具体的に説明すると、米粒被覆装置３が、作業位置において、上段の載置搬送部Ｓ１の外周部側から中央部に向かう方向に一致させる姿勢で、つまり、攪拌室形成部材５２を上段の載置搬送部Ｓ１の米粒群の搬送方向と交差する姿勢で、その一端側部分を上段の載置搬送部Ｓ１の上方箇所に重複するように位置させる状態で設置されている。そして、高さ調整部１３０にて攪拌室形成部材５２の高さを調整し、傾き調整部１２９にて攪拌室形成部材５２の横倒れ姿勢の傾きを調整することで、攪拌室形成部材５２の一端側部分の底部と上段の載置搬送部Ｓ１の穀粒載置面との間に、穀粒載置面の上部に存在する層状の米粒群の厚さに相当する隙間ｄを有する状態で米粒被覆装置３を設置させることになる。
【００６８】
そして、攪拌室形成部材５２を上段の載置搬送部Ｓ１の米粒群の搬送方向と交差する姿勢で米粒群を排出させると、攪拌室形成部材５２の一端側部分の底部と上段の載置搬送部Ｓ１の穀粒載置面との間に、穀粒載置面の上部に形成する層状の米粒群の厚さに相当する隙間ｄを有するので、攪拌室形成部材５２の一端側に搬送される米粒群は、攪拌室形成部材５２の一端側部分の底部に位置する米粒排出口１０５の長手方向の各部において、穀粒載置面の上部に形成する層状の米粒群の厚さに相当する隙間ｄに対応する量ずつ落下排出されることになる。説明を加えると、円板状又は略円板状に形成された上段の載置搬送部Ｓ１の穀粒載置面は、上段の載置搬送部Ｓ１の搬送方向と交差する方向での各位置、つまり、上段の載置搬送部Ｓ１の径方向での各位置において、移動速度が異なるものとなるが、このように径方向での各位置において移動速度が異なることに対応して、攪拌室形成部材５２の一端側部分に搬送される米粒群は、米粒排出口１０５から落下排出される単位時間当たりの量を上段の載置搬送部Ｓ１の中央部に近い側ほど少なくする状態で、長手方向に沿うスリット状の米粒排出口１０５の長手方向の各部において、上記の隙間ｄに対応する量ずつ排出されることになり、その結果、上段の載置搬送部Ｓ１の穀粒載置面の上部に、厚さが隙間ｄと略同じに構成され、その厚さが均一となる層状の米粒群を存在させることができる。
【００６９】
前記乾燥用空気の湿度を検出する湿度計１４４（湿度検出手段の一例）が乾燥装置４に設けられており、制御部Ｃ（運転制御手段の一例）が、湿度計１４４の検出情報に基づいて、湿度計１４４にて検出される湿度が高いほど上段の載置搬送部Ｓ１の搬送速度が低速となるように電動モータ５７を制御するように構成されている。これにより、乾燥用空気の湿度が高くても、上段の載置搬送部Ｓ１の搬送速度を低速にすることにより、円板状又は略円板状に形成された上段の載置搬送部Ｓ１の穀粒載置面の上部に形成された層状の米粒群を充分に乾燥することができる。
そして、上段の載置搬送部Ｓ１の搬送速度が低速となると、米粒排出口１０５における穀粒排出範囲を変更する形態となる搬送量で層状の米粒群を搬送するように構成されている。説明を加えると、攪拌室形成部材５２の一端側に搬送される米粒群は、攪拌室形成部材５２の一端側部分の底部に位置する米粒排出口１０５の長手方向の各部において、上段の載置搬送部Ｓ１の穀粒載置面の上部に形成する層状の米粒群の厚さに相当する隙間ｄに対応する量ずつ落下排出されることになり、攪拌室形成部材５２の一端側に搬送される米粒が攪拌室形成部材５２の一端側部分から少し離れた箇所（図１０（ロ）参照）まで搬送されることになる。そして、上段の載置搬送部Ｓ１の移動速度が低速になった場合、その上段の載置搬送部Ｓ１の移動速度が低速になることに対応して、攪拌室形成部材５２の一端側部分の底部に位置する米粒排出口１０５の長手方向の各部において落下排出される米粒群の量が減少するために、攪拌室形成部材５２の一端側に搬送される米粒が攪拌室形成部材５２の一端側部分により近い箇所（図１０（イ）参照）にまで搬送されることになる。
このように、上段の載置搬送部Ｓ１の移動速度が低速になると、層状の米粒群の厚さを一定に保ちながらも、米粒排出口１０５における穀粒排出範囲を拡げる形態となる搬送量で層状の米粒群を搬送することになる。
【００７０】
前記円筒状のカバー５５の略円状に形成された天井部８１には、上下方向に延びる駆動軸５６を中心とする略円状の開口部８２が天井部８１の中心部に形成されている。天井部８１の上部には、円筒状の乾燥用空気加熱装置８３が設けられ、その乾燥用空気加熱装置８３の開口した下部を開口部８２と一致させて設けられている。乾燥用空気加熱装置８３の側面には乾燥用空気の通過の際に塵埃のカバー５５への侵入を防止するフィルタが設けられ、そのフィルタの内方側には乾燥用空気を加熱する複数の電熱ヒータ８６が設けられている。すなわち、天井部８１の上部の中心部に設けられた円筒状の乾燥用空気加熱装置８３の内方側に複数の電熱ヒータ８６が設けられている。これにより、電熱ヒータ８６同士を近づけた状態で設置することができ、円筒状の乾燥用空気加熱装置８３の構成の簡素化を図りながらも、乾燥用空気加熱装置８３に形成されているヒータ同士の配線作業を容易に行なうことができる。
【００７１】
前記カバー５５が形成する内部空間と連通する状態で吸気用ダクト８４が設けられ、吸気用ダクト８４には吸引装置８５が接続されている。吸気用ダクト８４および吸引装置８５が通風式乾燥手段ＫＴを構成する。吸気用ダクト８４の吸気口８４ａは、下段に位置する載置搬送部Ｓ２の中央部に対向する形態で設けられている。これにより、乾燥用空気加熱装置８３のフィルタから乾燥用空気が取り入れられ、フィルタの内方側に設けられた電熱ヒータ８６にて取り入れられた乾燥用空気が加熱され、加熱された乾燥用空気がカバー５５の天井部８１の中心部に形成された開口部８２から供給される。そして、加熱された乾燥用空気が各載置搬送部Ｓを通風して吸気用ダクト８４を通して吸引されるようになっている。
【００７２】
図１１〜図１８に示すように、上段の載置搬送部Ｓ１は、周方向に沿って並べて設けられる１２個の搬送単位体Ｔを備えて構成されている。この搬送単位体Ｔは、上段の載置搬送部Ｓ１を周方向に沿って１２個に均等に分割する状態で平面視で略扇形になるように構成されている。平面視における外周縁部には外周部材５９が設けられ、その外周部材５９の両端部には、中心部を折り曲げ状に構成された長尺状の板の両端部が連結されて枠部材６０を構成してある。尚、隣り合う搬送単位体Ｔの外周部材５９の端部が対向する状態で設けられている。
【００７３】
前記枠部材６０を補強する長尺状の補強部材６４が、その補強部材６４の両端部と中心部を折り曲げ状に構成された長尺状の板の両端部とを接続する形態で設けられている。枠部材６０、補強部材６４および外周部材５９によって載置搬送部Ｓ１の中心部から周方向に向かう方向に沿って設けられた円筒状部材６１を固定するとともに、補強部材６４および外周部材５９によって径方向外方側に延設した棒状の被案内部６８を固定するようになっている。そして、枠部材６０の上部側表面には、孔径が約２ｍｍの小径孔を多数形成したパンチングメタルからなる多孔板６５が装着されている。
【００７４】
前記多孔板６５は前記枠部材６０の上部側表面に対して回転方向上手側および下手側に突出する状態で取り付けられている。つまり、図１５に示すように、多孔板６５の回転方向下手側端縁６５ａが枠部材６０の回転方向下手側端部よりも回転方向下手側に向けて突出する状態となり、多孔板６５の回転方向上手側端縁６５ｂが枠部材６０の回転方向上手側端部よりも回転方向上手側に突出する状態となるように取り付けられている。すなわち、搬送作用姿勢においては、多孔板６５の回転方向下手側端縁６５ａが、回転方向下手側に隣接する搬送単位体Ｔの多孔板６５の回転方向上手側端縁６５ｂの上側に重なる状態となり、多孔板６５の回転方向上手側端縁６５ｂが、回転方向上手側に隣接する搬送単位体Ｔの多孔板６５の回転方向下手側端縁６５ａの下側に重なる状態となるように構成されている。
【００７５】
そして、駆動軸５６に一体回転自在に外嵌されるボス部５８から放射状に延びる複数の棒状の回動支軸６３が、各搬送単位体Ｔに設けられた円筒状部材６１を貫通する状態で設けられ、各回動支軸６３の径方向外端側の箇所に夫々ローラ式のカムフォロア７５が設けられ、各カムフォロア７５は、カバーの側部５５ａにネジ止め固定されたリング状の支持レール６２にて案内支持される構成となっている。従って、ボス部５８、各回動支軸６３、及び、搬送単位体Ｔが駆動軸５６の回転駆動力にて一体的に回転するように連結される構成となっている。尚、この回動支軸６３の軸芯Ｘが姿勢変更用の回動軸芯に対応するものである。
【００７６】
前記搬送単位体Ｔにおける前記姿勢変更用の回動軸芯すなわち前記回動支軸６３の軸心Ｘが、搬送単位体Ｔの周方向中間部に位置する状態で設けられ、しかも、搬送単位体Ｔの周方向の中央位置とは異なる位置に設けられている。つまり、前記回動支軸６３は、搬送単位体Ｔの周方向の中央位置Ｐよりも上段の載置搬送部Ｓの上下軸芯Ｙ周りでの回動方向下手側に寄った箇所に位置する構成となっている。そして、載置搬送部Ｓの径方向外方側の箇所であって、搬送単位体Ｔの周方向の中央位置Ｐよりも前記上下軸芯Ｙ周りでの回動方向上手側に寄った箇所に、棒状の被案内部６８が設けられ、各被案内部６８の径方向外端側の箇所に夫々ローラ式のカムフォロア７６が設けられ、各カムフォロア７６は、リング状の支持レール６２にて案内支持される構成となっている。
【００７７】
前記リング状の支持レール６２の一部分を開放状態にさせ、その開放された部分にカム形成部材７２を取り付ける構成となっている。カム形成部材７２には、平坦状の搬送用カム案内面７２ａとＶ字状の姿勢変更用カム案内面７２ｂが形成されている。カム形成部材７２によって形成される姿勢変更用カム案内面７２ｂは、緩やかな緩傾斜面ｃ１に形成されており、その後、搬送単位体Ｔを搬送作用姿勢に戻すための復帰用傾斜面ｃ２はそれよりも急な傾斜面になるように構成されている。
【００７８】
前記搬送単位体Ｔが回転方向Ｑに搬送される構成について説明を加えると、図１８（イ）に示すように、供給された米粒群を上段の載置搬送部Ｓ１にて載置搬送するための搬送領域Ｌ１において、カムフォロア７５、７６が支持レール６２および搬送用カム案内面７２ａにて案内支持されることにより、搬送単位体Ｔを搬送作用姿勢に維持させる。搬送単位体Ｔが回転方向Ｑに搬送されて、カムフォロア７５が支持レール６２にて案内支持されなくなったときにおいても、カムフォロア７６が搬送用カム案内面７２ａにて案内支持され、搬送単位体Ｔの多孔板６５の回転方向下手側端縁６５ａが、回転方向下手側に隣接する搬送単位体Ｔの多孔板６５の回転方向上手側端縁６５ｂに係合されているので、搬送単位体Ｔを搬送作用姿勢に維持させる。図１８（ロ）に示すように、載置搬送した米粒群を下方に排出するための排出領域Ｌ２において、カムフォロア７５が搬送用カム案内面７２ａにて案内支持され、カムフォロア７６がＶ字状の姿勢変更用カム案内面７２ｂの緩傾斜面ｃ１にて案内支持されることにより、カムフォロア７６が下方側に移動して搬送単位体Ｔが排出用傾斜姿勢に切り換わる。そして、図１８（ハ）に示すように、カムフォロア７５が搬送用カム案内面７２ａにて案内支持され、カムフォロア７６がＶ字状の姿勢変更用カム案内面７２ｂの復帰用傾斜面ｃ２にて案内支持されることにより、カムフォロア７６が上方側に移動して搬送単位体Ｔが搬送作用姿勢に復帰するようになっている。
【００７９】
このように構成すると、上段の載置搬送部Ｓ１が上下軸芯Ｙ周りで回転するのに伴って、前記各搬送単位体Ｔは、上方から供給された米粒群を載置搬送するための搬送領域Ｌ１を通過している間は、カムフォロア７５、７６が支持レール６２および搬送用カム案内面７２ａにて案内支持されて搬送作用姿勢に維持されており、米粒群を載置搬送しながら通風乾燥させることができる。そして、搬送単位体Ｔが排出領域Ｌ２に至ると、カムフォロア７６が姿勢変更用カム案内面７２ｂに案内されて排出用傾斜姿勢に切り換わることにより載置している米粒群を下方に落下排出させることになる。従って、前記カムフォロア７５，７６及び前記カム形成部材７２により、搬送単位体Ｔの自重を利用して姿勢を切り換える姿勢切換手段Ｋとしてのカム式案内機構が構成されることになる。
【００８０】
この上段の載置搬送部Ｓ１に対しては、攪拌室形成部材５２の一端側部分に設けられた米粒排出口１０５から高温の被覆材溶液が付着した米粒群が供給される構成となっており、その米粒排出口１０５から供給された被覆材溶液が付着した層状の米粒群は、上段の載置搬送部Ｓ１の多孔板６６上に載置された状態で搬送される。上段の載置搬送部Ｓ１には、その中央部に乾燥用空気の下方への通過を防止する防風板８７が設けられている。上段の載置搬送部Ｓ１における外周部の外方箇所、すなわち、上段の載置搬送部Ｓ１の外周部とカバーの側部５５ａとの間には、乾燥用空気が通過できるような通気用通路８８が設けられている。このとき、上段の載置搬送部Ｓ１にて載置搬送される米粒群は、被覆材溶液が付着した米粒同士が粘着力によってくっつくなどして米粒同士の間を乾燥用空気が通過する際の空気抵抗が大きなものとなるため、天井部８１の開口部８２から供給された加熱された乾燥用空気の殆どを、上段の載置搬送部Ｓ１の中央部から外周部側に向けて放射状に流動させることになり、乾燥用空気の残りを、上段の載置搬送部Ｓ１を横断する状態で流動することになる。したがって、上段の載置搬送部Ｓ１にて載置搬送される米粒群に乾燥用空気を接触させることができるものとなる。
【００８１】
そして、この上段の載置搬送部Ｓ１に対する供給箇所から上下軸芯Ｙ周りでの周方向の位相が設定量異なる排出領域にまで米粒群が載置搬送されると、搬送単位体Ｔが排出用傾斜姿勢に切り換わって米粒群が下方に落下排出される。下段の載置搬送部Ｓ２へと落下排出させる米粒群は、その米粒群に乾燥ムラがあったとしても、落下排出させる際に米粒同士が攪拌されるため、最下段の載置搬送部にて載置搬送される米粒群は、均一に乾燥が進んだものとなっている。
又、図１６、図１７に示すように、前記上段の載置搬送部Ｓ１の下部側に、下方に向かうほどその径が小になるように形成されたカバー側の導風体９３が設けられている。このカバー側の導風体９３の上部の端部がカバーの側部５５ａにネジ止め固定される構成となっている。
【００８２】
前記下段の載置搬送部Ｓ２は、米粒群が供給される位置や排出させる位置が周方向に異なる他は、上段の載置搬送部Ｓ１と同じ構成であるからその詳細な説明は省略する。下段の載置搬送部Ｓ２には、上段の載置搬送部Ｓ１と同様にその中央部に乾燥用空気の下方への通過を防止する防風板８７が設けられ、加えて、上段の載置搬送部Ｓ１を構成する各搬送単位体Ｔの略扇形の外周部の夫々に外周部材５９が形成され、各搬送単位体Ｔの全てが搬送作用姿勢にあるときにおいて、それら外周部材５９が一体として載置搬送部側の導風体９４を形成している。そして、カバー側の導風体９３の下部と載置搬送部側の導風体９４の上部とが近接させて設けられている。これにより、通気用通路８８を通過した乾燥用空気を、カバー側の導風体９３および載置搬送部側の導風体９４に案内されて下段の載置搬送部Ｓ２の存在箇所まで流動させることになる。このとき、下段の載置搬送部Ｓ２にて載置搬送される米粒群は、均一に乾燥が進んでおり、そのように乾燥が進んだ米粒同士がくっつくことがないので、乾燥用空気が通過する際の空気抵抗が小さいものとなる。このように乾燥が進んだ状態の米粒同士の間を乾燥用空気が通過する際の空気抵抗が小さいため、カバー側の導風体９３の下部と載置搬送部側の導風体９４の上部との間を短絡流動することを極力抑制した状態で、すなわち、下段の載置搬送部Ｓ２の存在領域以外の箇所からの下方通風を阻止する状態で、通気用通路８８を通過した乾燥用空気の全量又は略全量を、その載置搬送部を横断する状態で流動させることができるものとなる。
【００８３】
このように、下段の載置搬送部Ｓ２にて載置搬送される米粒群に、乾燥用空気を米粒同士の間を通過する状態で流動させると、均一に乾燥が進んでいる最下段の載置搬送部にて載置搬送される米粒群を良好に乾燥させることが可能となる。
【００８４】
そして、吸気用ダクト８４の吸気口８４ａは、前述のごとく、下段の載置搬送部Ｓ２の中央部に対向する形態で設けられており、下段の載置搬送部Ｓ２を横断する状態で流動させた乾燥用空気を、前記最下段の載置搬送部の中央部に対向させて設けられた吸気口８４ａから吸引させることにより、前記最下段の載置搬送部を横断する状態で流動させた乾燥用空気を良好に吸引することが可能となる。
【００８５】
下段の載置搬送部Ｓ２にて良好に乾燥された米粒群は、排出領域から下方に落下排出させることになる。下段の載置搬送部Ｓ２の排出対象箇所の下方側には、落下排出される米粒群を受け止めて流下案内する排出用シュート９５が設けられ、上記乾燥装置４にて良好に乾燥された米粒群を装置外部に排出させることになる。
【００８６】
〔別実施形態〕
（１）上記実施形態では、前記載置搬送体が、円板状又は略円板状で且つ多孔状に形成され、かつ、その中央部を中心に上下軸心回りで回転駆動されて、前記搬送装置から供給された米粒群を載置搬送したのちに下方に落下排出する構成としたが、これに限るものではなく、前記載置搬送体が無端のベルト状に構成するものであっても良い。
【００８７】
（２）上記実施形態では、前記各載置搬送部Ｓは周方向に沿って並べて設けられる複数の搬送単位体Ｔを備えて構成され、各搬送単位体Ｔは、供給箇所に供給された米粒群を載置搬送するための前記搬送領域においては前記搬送作用姿勢に維持され、載置搬送した米粒群を下方に排出するための排出領域においては前記排出用傾斜姿勢に切り換えられる構成としたが、これに代えて、前記各載置搬送部Ｓを、一体的に円板状に形成されたパンチングメタルからなる多孔状円板を備えて駆動軸にて上下軸芯周り回転駆動するように構成し、多孔状円板にて載置搬送される米粒群を受止めて径方向外方側に形成された排出部に移動案内させるスクレ−パを、中心側に位置するボス部から径方向外方側の端部に至るまで１枚板にて形成される構成でもよい。
【００８８】
（３）上記実施形態では、前記搬送単位体Ｔにおける前記姿勢変更用の回動軸芯が、搬送単位体Ｔの周方向中間部に位置する状態で設けられ、しかも、搬送単位体Ｔの周方向の中央位置とは異なる位置に設けられる構成、すなわち、前記姿勢変更用の回動軸芯が、搬送単位体Ｔの周方向の中央位置よりも載置搬送部Ｓの上下軸芯Ｙ周りでの回動方向下手側に寄った箇所に位置する構成を例示したが、このような構成に代えて次のように構成するものでもよい。
【００８９】
前記搬送単位体における前記姿勢変更用の回動軸芯を搬送単位体の周方向の一端部に設ける構成としてもよく、又、前記姿勢変更用の回動軸芯を搬送単位体の周方向の中央位置に設ける構成としてもよい。このように前記姿勢変更用の回動軸芯を搬送単位体の周方向の中央位置に設けるときは、搬送単位体の自重によって姿勢を変更させることが適正に行い難いので、前記排出領域において排出用傾斜姿勢に切り換えるためのバネなどの付勢手段を用いる構成としてもよい。
【００９０】
（４）上記実施形態では、前記姿勢切換手段として、搬送単位体の自重による付勢力を利用して、カム式案内機構によって搬送単位体の姿勢を切り換える構成としたが、このような構成に限らず、姿勢切換手段として、アクチュエータを用いて搬送単位体の姿勢を切り換えるような構成としてもよい。
【００９１】
（５）上記実施形態では、複数の載置搬送部として上下２段の載置搬送部を設ける構成としたが、載置搬送部の段数はこれに限るものではない。例えば、上下方向に３段の載置搬送部を設ける場合には、前記乾燥用室の天井部における上下３段の載置搬送部の外周部に相当する外周部相当箇所に、前記導入口が形成され、且つ、１段目の載置搬送部における中央部相当箇所に、前記通気用通路が形成されて、前記乾燥用室の天井部から導入された乾燥空気を１段目の載置搬送部における外周部から中央部側に向けて流動させ、２段目の載置搬送部における外周部の外方箇所に、前記通気用通路が形成されて、１段目の載置搬送部における中央部相当箇所を通過した乾燥空気を２段目の載置搬送部における中央部から外周部側に向けて流動させ、３段目の載置搬送部が、その存在領域以外の箇所からの下方通風を阻止して、２段目の載置搬送部からの乾燥用空気の全量又は略全量を３段目の載置搬送部を通過させる状態で流動させてもよい。
また、上下方向に４段の載置搬送部を設ける場合には、前記乾燥用室の天井部における上下４段の載置搬送部の中央部に相当する中央部相当箇所に、前記導入口が形成され、且つ、１段目の載置搬送部における外周部の外方箇所に、前記通気用通路が形成されて、前記乾燥用室の天井部から導入された乾燥空気を１段目の載置搬送部における中央部から外周部側に向けて流動させ、２段目の載置搬送部における中央部相当箇所に、前記通気用通路が形成されて、１段目の載置搬送部における外周部の外方箇所を通過した乾燥空気を２段目の載置搬送部における外周部から中央部側に向けて流動させ、３段目の載置搬送部における外周部の外方箇所に、前記通気用通路が形成されて、２段目の載置搬送部における中央部相当箇所を通過した乾燥空気を３段目の載置搬送部における中央部から外周部側に向けて流動させ、４段目の載置搬送部が、その存在領域以外の箇所からの下方通風を阻止して、３段目の載置搬送部からの乾燥用空気の全量又は略全量を４段目の載置搬送部を通過させる状態で流動させてもよい。
ちなみに、上下方向に偶数段の載置搬送部を設ける場合において、前記乾燥用室の天井部における複数段の載置搬送部の中央部に相当する中央部相当箇所に、前記導入口を形成するようにすると、前記乾燥用室の天井部に導入口を設ける構成の簡素化を図ることができる。
【００９２】
（６）上記各実施形態では、乾燥装置による乾燥対象として、削り取りや掻き取り作用により米粒の糊粉層を除去した後に高温の澱粉を添加付着させた米粒群を乾燥させる構成としたが、乾燥対象としては、このようなものに限らず、例えば、米粒の糊粉層を水洗いによって除去した後の米粒群を乾燥させるようにしてもよい。
（７）上記実施形態では、載置搬送部Ｓが、円板状又は略円板状に形成され且つ多孔状に形成される構成としたが、このような構成に限らず、載置搬送部Ｓに孔を設けない構成としてもよい。
（８）上記実施形態では、湿度計１４４の検出情報に基づいて、湿度が高いほど低速となるように載置搬送部Ｓの搬送速度を変更する構成としたが、このような構成に限らず、湿度計１４４の検出情報に基づいて、湿度が高い場合において、姿勢変更調節手段１０１にて攪拌室形成部材５２の一端側部分の底部と上段の載置搬送部Ｓ１の搬送載置面との隙間ｄを狭くすることにより、穀粒載置面の上部に層状に存在させる穀粒群の厚さを小さくする構成としてもよい。
【図面の簡単な説明】
【００９３】
【図１】無洗米製造装置の概略構成図
【図２】無洗米製造装置の全体構成図
【図３】無洗米製造装置の全体構成図
【図４】搬送装置の縦断面図
【図５】搬送装置の縦断面図
【図６】搬送装置の縦断面図
【図７】搬送装置の平面断面図
【図８】搬送装置の全体構成図
【図９】乾燥装置の縦断側面図
【図１０】載置搬送体の平面図
【図１１】載置搬送体の平面図
【図１２】載置搬送体の分解斜視図
【図１３】載置搬送体の斜視図
【図１４】載置搬送体の斜視図
【図１５】搬送単位体の平面図
【図１６】カバー側の導風体および載置搬送部側の導風体を示す図
【図１７】載置搬送体の平面図
【図１８】姿勢切換手段の案内作用を示す図
【符号の説明】
【００９４】
３      前記搬送装置
５２    搬送用筒状体
５３    送り搬送体
５４    被覆材溶液供給手段
５７    駆動手段
８３    加熱手段
１０４  被覆材溶液供給口
１０５  排出口
１４４  湿度検出手段
Ｃ      運転制御手段
ＫＴ    通風式乾燥手段
Ｓ      載置搬送体
Ｙ      上下軸心
【図１】
2006284142.tif 000003
【図２】
2006284142.tif 000004
【図３】
2006284142.tif 000005
【図４】
2006284142.tif 000006
【図５】
2006284142.tif 000007
【図６】
2006284142.tif 000008
【図７】
2006284142.tif 000009
【図８】
2006284142.tif 000010
【図９】
2006284142.tif 000011
【図１０】
2006284142.tif 000012
【図１１】
2006284142.tif 000013
【図１２】
2006284142.tif 000014
【図１３】
2006284142.tif 000015
【図１４】
2006284142.tif 000016
【図１５】
2006284142.tif 000017
【図１６】
2006284142.tif 000018
【図１７】
2006284142.tif 000019
【図１８】
2006284142.tif 000020